(57)【要約】【課題】本明細書は、回路基板とバスバをつなぐ電圧計測用のワイヤハーネスを不要とする電力変換装置を提供する。【解決手段】電力変換装置２は、パワーケーブルのコネクタが嵌合するコネクタ取付口５と、メインユニット１０のスイッチング素子を制御する制御回路３２が実装されている回路基板３０を備える。コネクタ取付口５は、メインユニット１０の入力正極端と導通しているとともにコネクタの正極端子２４と接触する第１正極接点１５ａと、メインユニット１０の入力負極端と導通しているとともにコネクタの負極端子２５と接触する第１負極接点１６ａと、一端が回路基板３０に固定されており他端が正極端子２４と接触する第２正極接点３３と、一端が回路基板３０に固定されており他端が負極端子２５と接触する第２負極接点３４を備える。回路基板３０は、第２正極接点３３と第２負極接点３４の間の電圧を計測する電圧計測回路３１を備える。【選択図】図２
2017099179.tif 000002
【特許請求の範囲】
【請求項１】
筐体に設けられており、パワーケーブルのコネクタが嵌合するコネクタ取付口と、
前記パワーケーブルを通じて供給される電力を変換するためのスイッチング素子を含んでいるメインユニットと、
前記スイッチング素子を制御する制御回路が実装されている回路基板と、
を備えており、
前記コネクタ取付口は、前記メインユニットの入力正極端と導通しているとともに前記コネクタの正極端子と接触する第１正極接点と、前記メインユニットの入力負極端と導通しているとともに前記コネクタの負極端子と接触する第１負極接点と、一端が前記回路基板に固定されており、他端が前記正極端子と接触する第２正極接点と、一端が前記回路基板に固定されており、他端が前記負極端子と接触する第２負極接点を備えており、
前記回路基板が、前記第２正極接点と前記第２負極接点の間の電圧を計測する電圧計測回路を備えている、電力変換装置。
【発明の詳細な説明】
【技術分野】
【０００１】
本発明は、電力変換装置に関する。
【背景技術】
【０００２】
供給される電力を変換して出力する電力変換装置が知られている（例えば特許文献１、２）。電力変換装置の典型は、電圧を変換する電圧コンバータ、あるいは、直流電力を交流電力に変換するインバータである。特許文献１、２に開示された電力変換装置は、いずれも、供給される電力を変換するためのスイッチング素子を含んでいるメインユニットと、スイッチング素子を制御する制御回路が実装されている回路基板を備える。電力変換装置では、目的の大きさの電力を得るのに、供給される電力の電圧を計測することが必要となることが多い。特許文献１、２に開示された電力変換装置は、いずれも、回路基板に電圧計測回路が実装されている。電力変換装置の筐体内で、筐体に取り付けられるパワーケーブルのコネクタとメインユニットは、バスバと呼ばれる細長金属板で接続されており、そのバスバの途中と回路基板の電圧計測回路がワイヤハーネスで接続されている。
【先行技術文献】
【特許文献】
【０００３】
【特許文献１】特開２０１０―１１９２７４号公報
【特許文献２】特開２０１３―０２７２８４号公報
【発明の概要】
【発明が解決しようとする課題】
【０００４】
例えば車載用のデバイスなどは、筐体の小型化が重要な課題の一つであり、わずかなスペースであっても削減できることが望ましい。本明細書では、電圧計測用のワイヤハーネスを不要として、筐体の省スペース化を図れる電力変換装置を提供する。
【課題を解決するための手段】
【０００５】
本明細書が開示する電力変換装置は、筐体に設けられているコネクタ取付口と、メインユニットと、回路基板を備えている。コネクタ取付口は、電力変換装置に電力を供給するためのパワーケーブルのコネクタが接続される部位である。メインユニットは、電力変換装置の主要部品であり、パワーケーブルを通じて供給される電力を変換するためのスイッチング素子を含んでいる。回路基板には、スイッチング素子を制御する制御回路が実装されている。コネクタ取付口は、第１正極接点、第１負極接点、第２正極接点、第２負極接点を備えている。第１正極接点（第１負極接点）は、メインユニットの入力正極端（入力負極端）と導通しているとともに、コネクタの正極端子（負極端子）と接触する。第２正極接点（第２負極接点）は、一端が回路基板に固定されており、他端がコネクタの正極端子（負極端子）と接触する。回路基板には、第２正極接点と第２負極接点の間の電圧を計測する電圧計測回路が実装されている。
【０００６】
この電力変換装置は、パワーケーブルのコネクタを取り付けるコネクタ取付口に２対の接点を設け、そのうちの一対はメインユニットとパワーケーブルの端子（正極／負極端子）を導通させ、電力をメインユニットへ導く。他の一対は、回路基板とパワーケーブルの端子（正極／負極端子）を導通させ、回路基板で電圧を計測できるようにする。即ち、パワーケーブルのコネクタの端子と接触する接点を回路基板に設け、上記したワイヤハーネスを不要とする。本明細書が開示する技術の詳細とさらなる改良は以下の「発明を実施するための形態」にて説明する。
【図面の簡単な説明】
【０００７】
【図１】実施例の電力変換装置を含む電気自動車の電力系のブロック図である。
【図２】電力変換装置の一部断面図である。
【図３】コネクタの一例を示す模式的斜視図である。
【発明を実施するための形態】
【０００８】
図面を参照して実施例の電力変換装置を説明する。実施例の電力変換装置は、電気自動車に搭載され、バッテリの電力を走行モータ駆動用の電力に変換するデバイスである。図１に、実施例の電力変換装置２を含む電気自動車１００の電力系のブロック図を示す。電気自動車１００は、２個の走行用モータ８３ａ、８３ｂを備える。それゆえ、電力変換装置２は、２組のインバータ回路７６ａ、７６ｂを備える。なお、２個のモータ８３ａ、８３ｂの出力は、動力合成機構８５で合成されて車軸８６（即ち駆動輪）へと伝達される。
【０００９】
電力変換装置２は、パワーケーブル２２を介してバッテリ７１と接続されている。パワーケーブル２２の先端にはコネクタ２０が設けられており、そのコネクタ２０は、電力変換装置２の筐体に設けられているコネクタ取付口５に接続される。コネクタ２０とコネクタ取付口５の機械的構造については後述する。
【００１０】
電力変換装置２は、バッテリ７１の電圧を昇圧する電圧コンバータ回路７５と、昇圧後の直流電力を交流電力に変換する２組のインバータ回路７６ａ、７６ｂを備えている。電圧コンバータ回路７５は、一方の端子（バッテリ側の端子）に印加された電圧を昇圧して他方の端子（インバータ回路側の端子）に出力する昇圧動作と、他方の端子に印加された電圧を降圧して一方の端子に出力する降圧動作の双方を行うことが可能な双方向ＤＣ−ＤＣコンバータである。説明の便宜上、以下では、バッテリ側を入力端７７と称し、インバータ回路側を出力端７８と称する。また、入力端７７の正極と負極を、夫々、入力正極端７７ａと入力負極端７７ｂと称する。出力端７８の正極と負極を、夫々、出力正極端７８ａと出力負極端７８ｂと称する。「入力端７７」、「出力端７８」との表記は説明の便宜を図るためのものであり、先に述べたように、電圧コンバータ回路７５は双方向ＤＣ−ＤＣコンバータであるので、出力端７８から入力端７７へ電力が流れる場合がある。
【００１１】
電圧コンバータ回路７５は、２個のトランジスタ９ａ、９ｂ、リアクトル７３、フィルタコンデンサ７２、及び、各トランジスタに逆並列に接続されているダイオードで構成されている。２個のトランジスタ９ａ、９ｂは直列に接続されている。２個のトランジスタ９ａ、９ｂの直列接続の高電位側と低電位側は、夫々、出力正極端７８ａと出力負極端７８ｂに接続されている。リアクトル７３は、一端が入力正極端７７ａに接続されており、他端はトランジスタの直列接続の中点に接続されている。フィルタコンデンサ７２は、入力正極端７７ａと入力負極端７７ｂの間に接続されている。入力負極端７７ｂは、出力負極端７８ｂと直接に接続されている。低電位側のトランジスタ９ｂが昇圧動作に寄与し、高電位側のトランジスタ９ａが降圧動作に寄与する。図１の電圧コンバータ回路７５は良く知られているので詳しい説明は省略する。
【００１２】
図１において、符号３ａが示す破線矩形の範囲の回路は、後述する半導体モジュール３ａに対応する。半導体モジュールは、２個のトランジスタと、各トランジスタに逆並列に接続されているダイオードを収容したデバイスである。２個のトランジスタは半導体モジュールの内部で直列に接続されている。
【００１３】
インバータ回路７６ａについて概説する。インバータ回路７６ａは、２個のトランジスタの直列接続が３組並列に接続された構成を備えている。各トランジスタにはダイオードが逆並列に接続されている。３組の直列接続の高電位側は電圧コンバータ回路７５の出力正極端７８ａに接続されており、低電位側は出力負極端７８ｂに接続されている。トランジスタ９ｃ−９ｈを適宜にオン／オフすることにより、夫々の直列接続の中点から交流が出力される。インバータ回路７６ａの交流出力はモータ８３ａに供給される。符号３ｂ、３ｃ、３ｄが示す破線矩形の範囲の回路は、それぞれ、半導体モジュール３ｂ、３ｃ、３ｄに対応する。半導体モジュール３ｂは、直列に接続されている２個のトランジスタ９ｃ、９ｄと、夫々のトランジスタに逆並列に接続されているダイオードを収容している。半導体モジュール３ｃは、直列に接続されている２個のトランジスタ９ｅ、９ｆと、夫々のトランジスタに逆並列に接続されているダイオードを収容している。半導体モジュール３ｄは、直列に接続されている２個のトランジスタ９ｇ、９ｈと、夫々のトランジスタに逆並列に接続されているダイオードを収容している。図１のインバータ回路７６ａの構成もよく知られているので詳しい説明は省略する。
【００１４】
インバータ回路７６ｂは、インバータ回路７６ａと同様の構成を有している。インバータ回路７６ｂは、３個の半導体モジュール３ｅ、３ｆ、３ｇを備えており、各半導体モジュールは、直列に接続されている２個のトランジスタと、各トランジスタに逆並列に接続されるダイオードを収容している。インバータ回路７６ｂの交流出力はモータ８３ｂに供給される。インバータ回路７６ｂの構造はインバータ回路７６ａの構造と同じであるので、図１では詳しい回路は図示を省略している。
【００１５】
出力正極端７８ａと出力負極端７８ｂの間には、平滑コンデンサ７４が接続されている。平滑コンデンサ７４は、電圧コンバータ回路７５からインバータ回路７６ａ、７６ｂに供給される電流を平滑化するために備えられている。
【００１６】
電圧コンバータ回路７５とインバータ回路７６ａ、７６ｂが電力変換装置２の主要な部品であり、説明の便宜上、それらをメインユニット１０と総称する。電圧コンバータ回路７５の入力端７７が、メインユニット１０の入力端に相当する。
【００１７】
電圧コンバータ回路７５に含まれるトランジスタ９ａ、９ｂ、インバータ回路７６ａに含まれるトランジスタ９ｃ−９ｈ、及び、インバータ回路７６ｂに含まれるトランジスタ（即ち、半導体モジュール３ｅ−３ｇに含まれるトランジスタ）は、回路基板３０に実装されている制御回路３２により制御される。なお、回路基板３０には、電圧計測回路３１も実装されている。図１の符号３３（３４）が示す線は、パワーケーブル２２の正極線（負極線）と回路基板３０の電圧計測回路３１を導通させる第２正極接点（第２負極接点）を示している。電圧計測回路３１は、パワーケーブル２２を通じて供給される電力の電圧を、コネクタ取付口５から第２正極接点３３と第２負極接点３４を介して計測する。回路基板３０の制御回路３２は、メインユニット１０の出力が所望の値となるように、計測された電圧に基づいて各トランジスタを制御する。第２正極接点３３と第２負極接点３４を含むコネクタ取付口５の周辺の構造について次に説明する。
【００１８】
電力変換装置２の筐体に設けられたコネクタ取付口５と、コネクタ取付口５に接続されたコネクタ２０の構造を、図２を参照して説明する。図２は、電力変換装置２の一部断面図である。図２は、コネクタ取付口５の周辺とコネクタ２０の断面を示している。
【００１９】
図２には、先に説明した半導体モジュール３ａ、３ｂ、３ｃと、図１のリアクトル７３に対応するリアクトルモジュール１８と、図１のフィルタコンデンサ７２に対応するコンデンサモジュール１７が描かれている。それらがメインユニット１０の一部を構成する。各半導体モジュールは冷却プレート１２に挟まれている。なお、メインユニット１０の半導体モジュール３ｄ−３ｇを含む残りの部品は図示を省略している。図１から理解されるように、コンデンサモジュール１７の正極端１７ａと負極端１７ｂが、メインユニット１０の入力正極端と入力負極端に相当する。
【００２０】
半導体モジュール３ａ−３ｃの下面からパワー端子１３が延びており、上面から制御端子１４が延びている。パワー端子１３は、図２では作図上は一つにしか見えないが、３本の端子が紙面の奥側に重なっている。制御端子１４も、図２では作図上は一つにしか見えないが、複数の端子（信号線）が紙面の奥側に重なっている。パワー端子１３は、半導体モジュールに収容された２個のトランジスタの直列接続の高電位側端子と低電位側端子と中点端子である。パワー端子１３の接続先は図示を省略している。制御端子１４は、半導体モジュールに収容されているトランジスタのゲートに通じている信号線、トランジスタの温度を計測する温度センサの信号線、トランジスタを流れる電流を計測するセンスエミッタの信号線などを含む。制御端子１４は回路基板３０に接続されている。回路基板３０には、半導体モジュール３ａ−３ｇに収容されているトランジスタを制御する制御回路３２が実装されている。トランジスタはゲートに与えるＰＷＭ信号によりオンとオフを切り換える。制御回路３２は、トランジスタのゲートに供給するゲート信号を生成し、制御端子１４を介して各半導体モジュール内の各トランジスタにゲート信号を供給する。
【００２１】
電力変換装置２の筐体４にはコネクタ取付口５が設けられており、そのコネクタ取付口５にパワーケーブル２２のコネクタ２０が取り付けられている。パワーケーブル２２は、バッテリ７１の正極とつながっている電力正極線２２ａとバッテリ７１の負極とつながっている電力負極線２２ｂの２本で構成される。コネクタ２０の本体２１は樹脂で作られており、その内部において、電力正極線２２ａは正極端子２４に接続しており、電力負極線２２ｂは、負極端子２５に接続している。正極端子２４は本体２１の内部で２本に枝分かれしており、その一方を主正極端子２４ａと称し、他方を副正極端子２４ｂと称する。負極端子２５も２本に枝分かれしており、その一方を主負極端子２５ａと称し、他方を副負極端子２５ｂと称する。主正極端子２４ａ、副正極端子２４ｂ、主負極端子２５ａ、副負極端子２５ｂはいずれも、本体２１のコネクタ取付口５に面する側に露出している。コネクタ２０がコネクタ取付口５に取り付けられると、各端子は対応する接点と接触する。コネクタ取付口５に設けられた接点については後述する。なお、主正極端子２４ａと副正極端子２４ｂは、正極端子２４と総称することができ、主負極端子２５ａと副負極端子２５ｂは負極端子２５と総称することができる。
【００２２】
後述するように、主正極端子２４ａと主負極端子２５ａにはバッテリ７１の電力が流れるが、副正極端子２４ｂと副負極端子２５ｂにはほとんど電流が流れない。それゆえ、主正極端子２４ａと主負極端子２５ａは、副正極端子２４ｂと副負極端子２５ｂよりも大きい。
【００２３】
筐体４の内部には正極バスバ１５と負極バスバ１６が配策されている。正極バスバ１５の一端はコンデンサモジュール１７の正極端１７ａ（即ちメインユニット１０の入力正極端）に接続している。正極バスバ１５の他端はコネクタ取付口５の内側に位置しており、コネクタ２０の主正極端子２４ａと接触する。主正極端子２４ａと接触する正極バスバ１５の他端を第１正極接点１５ａと称する。なお、図１の回路図において、入力正極端７７ａには、フィルタコンデンサ７２の一端が接続しているとともに、リアクトル７３の一端が接続している。それゆえ、正極バスバ１５は、フィルタコンデンサ７２に相当するコンデンサモジュール１７の正極端１７ａに接続しているとともに、リアクトル７３に相当するリアクトルモジュール１８の一端にも接続している。
【００２４】
負極バスバ１６の一端はコンデンサモジュール１７の負極端１７ｂ（即ちメインユニット１０の入力負極端）に接続している。負極バスバ１６の他端はコネクタ取付口５の内側に位置しており、コネクタ２０の主負極端子２５ａと接触する。主負極端子２５ａと接触する負極バスバ１６の他端を第１負極接点１６ａと称する。
【００２５】
パワーケーブル２２を通じてバッテリ７１から供給される電力は、主正極端子２４ａと主負極端子２５ａ、第１正極接点１５ａと第１負極接点１６ａ、正極バスバ１５と負極バスバ１６を介してメインユニット１０へ伝送される。
【００２６】
一方、メインユニット１０に含まれる電力変換用のトランジスタを制御する回路基板３０の一端はコネクタ取付口５まで延びている。回路基板３０のコネクタ取付口５に近い箇所に、第２正極接点３３と第２負極接点３４が固定されている。第２正極接点３３と第２負極接点３４は金属製のピン状の部材であり、一端が回路基板３０に固定されており、他端は、コネクタ取付口５の内側に位置している。第２正極接点３３の他端は、コネクタ取付口５に取り付けられたコネクタ２０の副正極端子２４ｂと接触する。第２負極接点３４の他端は、コネクタ取付口５に取り付けられたコネクタ２０の副負極端子２５ｂと接触する。
【００２７】
なお、「回路基板３０の一端がコネクタ取付口５まで延びている」とは、より正確には、第２正極接点３３と第２負極接点３４が長くならずにそれらの一端がコネクタ取付口５の内側に位置するように、回路基板３０の一端がコネクタ取付口５の近傍まで延びている、という意味である。従って、回路基板３０と第２正極接点３３／第２負極接点３４の関係は、次のように別言できる。即ち、回路基板３０の一部は、コネクタ取付口５の近傍に位置しており、回路基板３０のコネクタ取付口５に近い部位に第２正極接点３３と第２負極接点３４が固定されている。
【００２８】
回路基板３０には、第２正極接点３３と第２負極接点３４の間の電圧を計測する電圧計測回路３１が実装されている。第２正極接点３３と第２負極接点３４の間の電圧は即ちパワーケーブル２２を介して供給される電力の電圧であるから、電圧計測回路３１は、パワーケーブル２２を介して供給される電力の電圧を計測することになる。
【００２９】
正極バスバ１５、負極バスバ１６、第２正極接点３３、第２負極接点３４は、コネクタ取付口５の付近において、絶縁性の樹脂（端子台）に支持されているが、その端子台は図示を省略している。
【００３０】
主正極端子２４ａ、主負極端子２５ａ、第１正極接点１５ａ（正極バスバ１５）、第１負極接点１６ａ（負極バスバ１６）には、バッテリ７１から供給される電力が流れる。一方、電圧計測回路３１は高インピーダンスであるため、副正極端子２４ｂ、副負極端子２５ｂ、第２正極接点３３、第２負極接点３４にはほとんど電流は流れない。それゆえ、先に述べたように、副正極端子２４ｂと副負極端子２５ｂは主正極端子２４ａと主負極端子２５ａよりも小さく、また、第２正極接点３３と第２負極接点３４はピン状の細い金属部材で作られている。一方、正極バスバ１５と負極バスバ１６には大電流が流れる。それゆえ、正極バスバ１５と負極バスバ１６は、相応の断面積を有している。
【００３１】
回路基板３０に実装されている制御回路３２は、電圧計測回路３１によって計測された供給電力の電圧に基づいて、メインユニット１０が所望の電力を出力するように、各トランジスタを制御する。
【００３２】
実施例の電力変換装置２の特徴についてまとめる。電力変換装置２は、その主要部品であるメインユニット１０と、回路基板３０を備えている。回路基板３０には、メインユニット１０に含まれる電力変換用のトランジスタを制御する制御回路３２が実装されている。電力変換装置２には、電力を供給するためのパワーケーブル２２が接続される。パワーケーブル２２のコネクタ２０は、電力正極線２２ａと接続されている正極端子２４と電力負極線２２ｂと接続されている負極端子２５を備えており、それらの端子はコネクタ取付口５に対向する側に露出している。電力変換装置２の筐体４にはコネクタ取付口５が設けられている。コネクタ取付口５には、メインユニット１０の入力正極端及び入力負極端の夫々と導通している第１正極接点１５ａ及び第１負極接点１６ａが設けられている。コネクタ取付口５には、さらに、第２正極接点３３と第２負極接点３４が設けられている。第２正極接点３３と第２負極接点３４は、それらの一端が回路基板３０に固定されており、他端がコネクタ取付口５の内側に位置している。回路基板３０には、第２正極接点３３と第２負極接点３４の間の電圧を計測する電圧計測回路３１が実装されている。コネクタ２０がコネクタ取付口５に取り付けられると、主正極端子２４ａが第１正極接点１５ａと接触し、主負極端子２５ａが第１負極接点１６ａと接触する。また、同時に、副正極端子２４ｂが第２正極接点３３と接触し、副負極端子２５ｂが第２負極接点３４と接触する。主正極端子２４ａ、第１正極接点１５ａ、主負極端子２５ａ、第１負極接点１６ａを通じてメインユニット１０に電力が供給される。同時に、副正極端子２４ｂ、第２正極接点３３、副負極端子２５ｂ、第２負極接点３４を介して、電圧計測回路３１が、供給される電力の電圧を計測する。計測された電圧に基づいて、制御回路３２がメインユニット１０に含まれる電力変換用のトランジスタを制御する。
【００３３】
上記の電力変換装置２では、回路基板３０に固定された第２正極接点３３と第２負極接点３４が、コネクタ２０に設けられた正極端子２４（副正極端子２４ｂ）と負極端子２５（副負極端子２５ｂ）と接触し、電圧が計測できるようになる。電力変換装置２は、供給される電圧を計測するためのワイヤハーネスを配策する必要がない。
【００３４】
図２は、電力変換装置２のコネクタ取付口５の周辺と、コネクタ２０の模式的な断面図である。図２では、枝分かれしている正極端子２４と枝分かれしている負極端子２５の全てが図示されるように、主正極端子２４ａと主負極端子２５ａを上下にずらして描いており、また、副正極端子２４ｂと副負極端子２５ｂも上下にずらして描いてある。また、図２では、負極端子２５と電力負極線２２ｂは、紙面奥側に位置しているという想定で描いてある。正極端子２４と負極端子２５は、図２の視点において、紙面の奥側に重なるように配置されていてもよい。
【００３５】
コネクタの別の一例（コネクタ１２０）の斜視図を図３に示す。コネクタ１２０は、本体１２１の内部で電力正極線２２ａと接続されている正極端子１２４と、電力負極線２２ｂと接続されている負極端子１２５を備える。正極端子１２４は、本体１２１の内部で枝分かれしており、細長金属板で作られた主正極端子１２４ａと、ピン状の副正極端子１２４ｂが本体１２１の一側面に露出している。負極端子１２５も、本体１２１の内部で枝分かれしており、細長金属板で作られた主負極端子１２５ａと、ピン状の副負極端子１２５ｂが本体１２１の一側面に露出している。先に述べたように、副正極端子１２４ｂと副負極端子１２５ｂは、高インピーダンスの電圧計測回路と接続されるので電流はほとんど流れない。それゆえ、電力を伝送する主正極端子１２４ａ及び主負極端子１２５ａと比較して、副正極端子１２４ｂ及び副負極端子１２５ｂは細いピン状に形成されている。
【００３６】
実施例で説明した技術に関する留意点を述べる。実施例では、コネクタ２０の正極端子２４は本体２１の内部で主正極端子２４ａと副正極端子２４ｂに枝分かれしている。そして、第１正極接点１５ａが主正極端子２４ａと接触し、第２正極接点３３が副正極端子２４ｂと接触する。実施例の主正極端子２４ａは、図２に示されているように、クリップ状に形成されており、第１正極接点１５ａを挟み込んでいる。コネクタ２０の正極端子２４は、枝分かれしておらず、主正極端子２４ａのみであってもよい。その場合、第２正極接点３３は、例えば、クリップ状の主正極端子２４ａの外側の側面に接触するように配置されていればよい。負極端子２５と第２負極接点３４についても同様である。
【００３７】
実施例のトランジスタ９ａ−９ｈ、及び、半導体モジュール３ｆ−３ｇに含まれるトランジスタが請求項の「スイッチング素子」の一例に相当する。
【００３８】
以上、本発明の具体例を詳細に説明したが、これらは例示に過ぎず、特許請求の範囲を限定するものではない。特許請求の範囲に記載の技術には、以上に例示した具体例を様々に変形、変更したものが含まれる。本明細書または図面に説明した技術要素は、単独であるいは各種の組合せによって技術的有用性を発揮するものであり、出願時請求項記載の組合せに限定されるものではない。また、本明細書または図面に例示した技術は複数目的を同時に達成し得るものであり、そのうちの一つの目的を達成すること自体で技術的有用性を持つものである。
【符号の説明】
【００３９】
２：電力変換装置
３ａ−３ｇ：半導体モジュール
４：筐体
５：コネクタ取付口
９ａ−９ｈ：トランジスタ
１０：メインユニット
１２：冷却プレート
１３：パワー端子
１４：制御端子
１５：正極バスバ
１５ａ：第１正極接点
１６：負極バスバ
１６ａ：第１負極接点
１７：コンデンサモジュール
１８：リアクトルモジュール
２０、１２０：コネクタ
２１、１２１：本体
２２：パワーケーブル
２２ａ：電力正極線
２２ｂ：電力負極線
２４、１２４：正極端子
２４ａ、１２４ａ：主正極端子（正極端子）
２４ｂ、１２４ｂ：副正極端子（正極端子）
２５、１２５：負極端子
２５ａ、１２５ａ：主負極端子（負極端子）
２５ｂ、１２５ｂ：副負極端子（負極端子）
３０：回路基板
３１：電圧計測回路
３２：制御回路
３３：第２正極接点
３４：第２負極接点
７１：バッテリ
７２：フィルタコンデンサ
７３：リアクトル
７４：平滑コンデンサ
７５：電圧コンバータ回路
７６ａ、７６ｂ：インバータ回路
７７：入力端
７７ａ：入力正極端
７７ｂ：入力負極端
７８：出力端
７８ａ：出力正極端
７８ｂ：出力負極端
８３ａ、８３ｂ：走行用モータ
１００：電気自動車
【図１】
2017099179.tif 000003
【図２】
2017099179.tif 000004
【図３】
2017099179.tif 000005